【事件の表示】
　特願２００５−１４６８０７「ワイドスクリーンディスプレイ用のビデオ通信画像を準備する方法及びシステム」拒絶査定不服審判事件〔平成１７年１２月　８日出願公開、特開２００５−３４１５７１〕について、次のとおり審決する。
【結　論】
　本件審判の請求は、成り立たない。
【理　由】
１．手続の経緯・本願発明
　本願は、平成１７年５月１９日（パリ条約による優先権主張２００４年５月２１日、米国）の出願であって、平成２０年１月２３日付けで拒絶査定がされ、それを不服として平成２０年４月２８日に審判請求がされたものであって、同日付けで手続補正書が提出されたものである。
　
２．本願発明
　本願の請求項１に係る発明（以下、「本願発明」という。）は、平成２０年４月２８日付けの手続補正書により補正された特許請求の範囲の請求項１に記載された事項により特定される以下のとおりのものである。
　
「ビデオ会議のエンドポイント用の画像を準備する方法であって、
　前記エンドポイントは、約４：３のアスペクト比を処理可能であり、また、ワイドスクリーンディスプレイに関連付けられ、
　前記ワイドスクリーンディスプレイは、約１６：９のアスペクト比を有し、また、ズームモード又はワイドモードに設定可能であり、
　前記方法は、
　約１６：９のアスペクト比を有するオリジナル画像を作成する段階と、
　前記オリジナル画像の寸法を変更することにより、前記オリジナル画像のアスペクト比を、約１６：９から約４：３に変更する段階と、
　前記変更された画像を前記エンドポイントに伝送する段階と、
　を含み、
　前記ズームモード又は前記ワイドモードに設定された前記ワイドスクリーンディスプレイが、約１６：９のアスペクト比で、前記寸法の変更なしで前記オリジナル画像を実質的に表示可能である方法。」
　
３．刊行物１
　これに対して、原査定の拒絶の理由（特許法第２９条第２項）で引用された、特開平７−５９０７０号公報（以下「刊行物１」という。）には、図面と共に、次の記載がある。　
（刊行物１の記載）
　
「【０００１】
【産業上の利用分野】本発明は表示制御装置に係わり、特にテレビジョン会議システムにおいてＮＴＳ方式テレビジョン、ＰＡＬ方式テレビジョンなどのアスぺクト比３：４のテレビジョンと、ハイビジョンテレビや横長画面テレビなどのアスぺクト比９：１６のテレビジョンとが混在するシステムに用いて好適なものである。」
　
「【０００４】
【発明が解決しようとする課題】以上のような動きを受けて、テレビジョン会議システムにもハイビジョンテレビジョンや横長画面テレビジョンを導入しようという試みがなされているが、現状の標準化の中間フォーマットはアスぺクト比３：４となっており、標準化の動きのなかで普及している。このため、将来は、アスぺクト比９：１６のテレビジョン会議システムとアスぺクト比３：４のテレビジョン会議システムとが混在することも考えられ、相互に交信する可能性も高く、このような場合に対応できるシステムの開発が大きな課題とされている。」
　
「【００７４】次に、本発明の表示制御装置の第５の実施例について説明する。
…　（略）　…
【００７５】一方、受信側においては、アスぺクト比３：４の第１のモニタテレビ１３、またはアスぺクト比９：１６の第２のモニタテレビ１４が選択的に接続されるように構成されている。この場合も、第１のモニタテレビ１３が接続されているか第２のモニタテレビ１４が接続されているかは、モニタ設定スイッチ１６により設定され、この信号はシステム制御部１０から伝送制御部９、回線８、伝送制御部５を通じて送信側のシステム制御部６に伝送される。
…　（略）　…
【００７８】今、受信側において第１のモニタテレビ１３が接続されている場合、このことは送信側に伝達されシステム制御部６に入力される。その結果、画像処理部４は第１のカメラ１からの画像を図１２の（Ｂ）に示すように、そのままアスぺクト比３：４の映像のまま伝送制御部５に出力する。
【００７９】画像処理部４からの出力映像は、伝送制御部５において伝送のための中間フォーマットに変換され、伝送のための圧縮を受けて回線８を通じて受信側に伝送される。受信側においては、伝送制御部９でこの画像を受信し伸長して中間フォーマットを通常のアスぺクト比３：４のテレビジョン信号にして出力する。この信号は図１２の（Ｆ）に示すように、第１のモニタテレビ１３にそのまま表示される。
【００８０】一方、送信側において第２のモニタテレビ１４が接続されている場合、このことは送信側に伝達され、システム制御部６に入力される。その結果、画像処理部４は第１のカメラ１からの画像の上下部分を削除して図１２の（Ｈ）に示すように、アスぺクト比９：１６の映像に変換する。
【００８１】そして、更に左右の大きさを図１２の（Ｃ）に示すように、縮小変倍してアスぺクト比３：４の映像に変換する。図１２の（Ｅ）に示すような、画像処理部４からの出力映像は、伝送制御部５において伝送のための中間フォーマットに変換され、伝送のための圧縮を受けてから回線８を通じて受信側に伝送される。
【００８２】受信側においては、この画像を伝送制御部９で受信して伸長し、中間フォーマットを通常のアスぺクト比３：４である、図１２の（Ｅ）に示すような画面にして出力する。この信号は、９：１６方式変換処理部１２において左右を変倍処理され、アスぺクト比９：１６の信号として第２のモニタテレビ１４に与えられ、図１２の（Ｇ）に示すように表示される。
【００８３】以上述べたように、受信側に接続されるモニタのアスぺクト比に応じて送信側の画像を適宜処理することにより、伝送を効率的に行わせることが可能となり、受信側では接続されるモニタに適した画像信号を得ることができる。」
　
　また、刊行物１に記載の、第５の実施例における動作を示した図である図１２の（Ｇ）には、第２のモニタテレビにおける表示として、アスペクト比９：１６の枠内に、第１のカメラからの画像の上下部分を削除して得られたアスペクト比９：１６の画像と同じ、アスペクト比９：１６の画像が表示された状態が図示されている。
　
（刊行物１の記載、以上）
　
　
　上記刊行物１の上記記載によると、
　
　「本発明は表示制御装置に係わり、特にテレビジョン会議システムにおいて」（【０００１】）、
　「第２のモニタテレビ１４が接続されている場合、このことは送信側に伝達され、システム制御部６に入力される。その結果、画像処理部４は第１のカメラ１からの画像の上下部分を削除して図１２の（Ｈ）に示すように、アスぺクト比９：１６の映像に変換する。」（【００８０】）、
　「更に左右の大きさを図１２の（Ｃ）に示すように、縮小変倍してアスぺクト比３：４の映像に変換する。図１２の（Ｅ）に示すような、画像処理部４からの出力映像は、伝送制御部５において伝送のための中間フォーマットに変換され、伝送のための圧縮を受けてから回線８を通じて受信側に伝送される。」（【００８１】）、
　「受信側においては、この画像を伝送制御部９で受信して伸長し、中間フォーマットを通常のアスぺクト比３：４である、図１２の（Ｅ）に示すような画面にして出力する。この信号は、９：１６方式変換処理部１２において左右を変倍処理され、アスぺクト比９：１６の信号として第２のモニタテレビ１４に与えられ、図１２の（Ｇ）に示すように表示される。」（【００８２】）とあることから、
　テレビジョン会議システムにおいて、「画像処理部４は第１のカメラ１からの画像」を「変換」し、変換された画像を受信側に伝送し、伝送された画像を９：１６方式変換処理部１２において処理して第２のモニタテレビ１４に表示するという、表示制御のための一連の手順が記載されているといえ、この一連の手順は表示制御の方法といえるから、刊行物１には、「テレビジョン会議システムにおける表示制御の方法」の発明が記載されているといえる。
　
　「受信側に接続されるモニタのアスぺクト比に応じて送信側の画像を適宜処理することにより、伝送を効率的に行わせることが可能となり、受信側では接続されるモニタに適した画像信号を得ることができる。」（【００８３】）とあり、
刊行物１に記載の「表示制御の方法」は、「受信側では接続されるモニタに適した画像信号を得ることができる」ように「受信側に接続されるモニタのアスぺクト比に応じて送信側の画像を適宜処理する」ものであるといえる。
　
　「受信側においては、伝送制御部９でこの画像を受信し伸長して中間フォーマットを通常のアスぺクト比３：４のテレビジョン信号にして出力する。」（【００７９】）とあり、更に、前記「中間フォーマット」について、「現状の標準化の中間フォーマットはアスぺクト比３：４となっており」（【０００４】）とあるから、
　刊行物１に記載の「受信側」は、「アスペクト比３：４の中間フォーマットを通常のアスぺクト比３：４のテレビジョン信号にして出力する」ものといえる。
　
　「受信側においては、アスぺクト比３：４の第１のモニタテレビ１３、またはアスぺクト比９：１６の第２のモニタテレビ１４が選択的に接続されるように構成されて」（【００７５】）とあり、
　刊行物１に記載の「受信側」は、「アスぺクト比３：４の第１のモニタテレビ１３、またはアスぺクト比９：１６の第２のモニタテレビ１４が選択的に接続されるように構成され」るものといえる。
　
　「送信側において第２のモニタテレビ１４が接続されている場合、このことは送信側に伝達され、システム制御部６に入力される。その結果、画像処理部４は第１のカメラ１からの画像の上下部分を削除して図１２の（Ｈ）に示すように、アスぺクト比９：１６の映像に変換する。」（【００８０】）とあり、
　この記載において、「送信側において第２のモニタテレビ１４が接続されている場合」と記載されているが、第２のモニタテレビ１４は受信側に設けられていることから、この「送信側」という記載は誤記であって、正しくは「受信側」というべきものであると認められるから、
　刊行物１に記載の「表示制御の方法」における送信側の画像処理部４は、「受信側において第２のモニタテレビ１４が接続されている場合」に、「第１のカメラ１からの画像の上下部分を削除して」、「アスぺクト比９：１６の映像に変換する」ものといえる。
　
　「更に左右の大きさを図１２の（Ｃ）に示すように、縮小変倍してアスぺクト比３：４の映像に変換する。」（【００８１】）とあり、
　刊行物１に記載の「表示制御の方法」における送信側の画像処理部４は、前記「アスぺクト比９：１６の映像」の「左右の大きさ」を「縮小変倍してアスぺクト比３：４の映像に変換する」ものといえる。
　
　「画像処理部４からの出力映像は、伝送制御部５において伝送のための中間フォーマットに変換され、伝送のための圧縮を受けてから回線８を通じて受信側に伝送される。」（【００８１】）とあり、
　刊行物１に記載の「表示制御の方法」における送信側は、「出力映像」を「受信側に伝送」するものといえる。
　
　「受信側においては、この画像を伝送制御部９で受信して伸長し、中間フォーマットを通常のアスぺクト比３：４である、図１２の（Ｅ）に示すような画面にして出力する。この信号は、９：１６方式変換処理部１２において左右を変倍処理され、アスぺクト比９：１６の信号として第２のモニタテレビ１４に与えられ、図１２の（Ｇ）に示すように表示される。」（【００８２】）とあり、
　刊行物１に記載の「受信側においては、」伝送された「この画像を」「受信して伸長し、中間フォーマットを通常のアスぺクト比３：４」にして「出力」し、「９：１６方式変換処理部１２において左右を変倍処理され、アスぺクト比９：１６の信号として第２のモニタテレビ１４に与えられ」、「表示される」ものといえる。
　
　
　以上によれば、刊行物１には、下記の発明（以下、「刊行物１発明」という。）が記載されていると認められる。
　
　　　　　　　　　　　記（刊行物１発明）
　「テレビジョン会議システムにおける表示制御の方法であって、
受信側では接続されるモニタに適した画像信号を得ることができるように受信側に接続されるモニタのアスぺクト比に応じて送信側の画像を適宜処理するものであり、
前記受信側は、アスペクト比３：４の中間フォーマットを通常のアスぺクト比３：４のテレビジョン信号にして出力するものであり、また、アスぺクト比３：４の第１のモニタテレビ１３、またはアスぺクト比９：１６の第２のモニタテレビ１４が選択的に接続されるように構成され、
　受信側において第２のモニタテレビ１４が接続されている場合、
　送信側の画像処理部４は第１のカメラ１からの画像の上下部分を削除してアスぺクト比９：１６の映像に変換し、
　前記アスぺクト比９：１６の映像の左右の大きさを縮小変倍してアスぺクト比３：４の映像に変換し、
　送信側は出力映像を受信側に伝送し、
　受信側においては、この画像を受信して伸長し、中間フォーマットを通常のアスぺクト比３：４にして出力し、９：１６方式変換処理部１２において左右を変倍処理され、アスぺクト比９：１６の信号として第２のモニタテレビ１４に与えられ表示される方法。」
　
３．対比、一致点、相違点
　
　本願発明と刊行物１発明とを対比する。
　
（１）「ビデオ会議のエンドポイント用の画像を準備する方法」
　
　刊行物１発明のテレビジョン会議システムでは、「出力映像を受信側に伝送」し、「この画像を受信して…第２のモニタテレビ１４に与えられ表示」して会議するものと認められ、刊行物１発明のシステムにおけるテレビジョン会議は、「映像」すなわちビデオを用いて行う会議といえるから、ビデオ会議といえ、そのシステムにおける表示制御の方法はビデオ会議の表示制御の方法といえる。
　また、刊行物１発明のテレビジョン会議システムにおける「表示制御の方法」は、「受信側では接続されるモニタに適した画像信号を得ることができるように受信側に接続されるモニタのアスぺクト比に応じて送信側の画像を適宜処理するもの」であって、刊行物１発明のテレビジョン会議システムにおいて、その受信側は「回線８を通じて受信側に伝送され」（【００８１】）た画像を、「伝送制御部９で受信し」（【００８２】）、「第２のモニタテレビ１４に与え」て「表示」（【００８２】）するものであるから、テレビジョン会議システムにおける「受信側」は、テレビジョン会議の「エンドポイント」といえる。
　そして、刊行物１発明において「送信側の画像を適宜処理する」のは、受信側すなわちエンドポイントに「接続されるモニタに適した画像信号」、すなわち、エンドポイント用の「画像」を、エンドポイントに伝送する前に、「送信側」においてあらかじめ処理するものといえ、あらかじめ処理するのは、「準備」するものともいえるから、刊行物１発明における「表示制御の方法」は、エンドポイント用の「画像」をエンドポイントに伝送する前に「送信側」において準備するものということができる。
　そうであるから、刊行物１発明における「テレビジョン会議システムにおける表示制御の方法」は、ビデオ会議のエンドポイント用の画像を準備する方法であるといえる。
　よって、刊行物１発明は、「ビデオ会議のエンドポイント用の画像を準備する方法」である点で、本願発明と一致する。
　
（２）「前記エンドポイントは、約４：３のアスペクト比を処理可能であり、また、ワイドスクリーンディスプレイに関連付けられ」
　
　刊行物１発明の「受信側」、すなわち、エンドポイントは、「アスペクト比３：４の中間フォーマットを通常のアスぺクト比３：４のテレビジョン信号にして出力するもの」であるが、「アスペクト比３：４の中間フォーマット」を「通常のアスぺクト比３：４のテレビジョン信号にして出力」することは、３：４のアスペクト比の画像の信号を「処理」することといえ、刊行物１発明の「受信側」、すなわち、エンドポイントは、そのような「処理」を行いうるものであるから、すなわち、刊行物１発明の「受信側」、すなわち、エンドポイントは、「３：４のアスペクト比を処理可能」であるといえる。
　なお、本願発明における「アスペクト比」は、本願明細書の段落【０００２】において「画像の高さに対する画像の幅の比である。一般的な、ビデオスクリーンは、約４：３のアスペクト比を有する。対照的に、ワイドスクリーンディスプレイは、１６：９のアスペクト比を有し」と記載されているように、画像ないしは画面の「横：縦の比率」を示しており、一方、刊行物１発明における「アスペクト比」は、刊行物１において「ＮＴＳ方式テレビジョン、ＰＡＬ方式テレビジョンなどのアスぺクト比３：４のテレビジョンと、ハイビジョンテレビや横長画面テレビなどのアスぺクト比９：１６のテレビジョン」（【０００１】）と記載されているように、画像ないしは画面の「縦：横の比率」を示していることから、刊行物１発明におけるアスペクト比の「３：４」は本願発明におけるアスペクト比の「４：３」に、刊行物１発明におけるアスペクト比の「９：１６」は本願発明におけるアスペクト比の「１６：９」に、それぞれ対応するものである。
　よって、刊行物１発明の「エンドポイント」は、「４：３のアスペクト比を処理可能」であるといえる。
　
　また、刊行物１発明の「受信側」、すなわち、エンドポイントは、「アスぺクト比３：４の第１のモニタテレビ１３、またはアスぺクト比９：１６の第２のモニタテレビ１４が選択的に接続されるように構成され」ており、また、「伝送」されてきた「画像」の信号を処理し、前記「接続」された「モニタテレビ」に「表示」させるものであるから、刊行物１発明の「テレビジョン会議」、すなわち、ビデオ会議において、「受信側」、すなわち、エンドポイントに「接続」され、「伝送」されてきた「画像」が「表示」される「モニタテレビ」は、前記「テレビジョン会議」、すなわち、ビデオ会議において前記「受信側」、すなわち、エンドポイントに関連付けられているといえる。
　よって、「アスぺクト比９：１６の第２のモニタテレビ１４」が接続された「受信側」、すなわち、エンドポイントは、前記「アスぺクト比９：１６の第２のモニタテレビ１４」に関連付けられているといえる。
　
　そして、刊行物１において、「ハイビジョンテレビや横長画面テレビなどのアスぺクト比９：１６のテレビジョン」（【０００１】）と記載されており、「アスぺクト比９：１６のテレビジョン」は「横長画面テレビ」であるから、刊行物１発明の前記「アスぺクト比９：１６の第２のモニタテレビ１４」は、横長画面のモニタテレビ、すなわち、ワイドスクリーンディスプレイといえる。
　よって、刊行物１発明における「受信側」、すなわち、エンドポイントは、ワイドスクリーンディスプレイに関連付けられているといえる。
　
　このようであるから、刊行物１発明は、「エンドポイントは、約４：３のアスペクト比を処理可能であり、また、ワイドスクリーンディスプレイに関連付けられ」ているといいえるのであって、この点で、本願発明と一致する。
　
（３）「前記ワイドスクリーンディスプレイは、約１６：９のアスペクト比を有し、また、ズームモード又はワイドモードに設定可能であり」
　
　刊行物１発明のワイドスクリーンディスプレイ、すなわち、「アスペクト比９：１６の第２のモニタテレビ１４」は、縦：横のアスペクト比が９：１６であるが、上記（２）において述べたとおり、刊行物１発明におけるアスペクト比の「９：１６」は本願発明におけるアスペクト比の「１６：９」に対応するものであるから、刊行物１発明は、本願発明と、「前記ワイドスクリーンディスプレイは、約１６：９のアスペクト比を有し」ている点で一致する。
　
　もっとも、本願発明における「ワイドスクリーンディスプレイ」が「ズームモード又はワイドモードに設定可能」であるのに対し、刊行物１には、第２のモニタテレビ１４が、そのようなモードに設定可能である旨の記載は無く、刊行物１発明の「第２のモニタテレビ１４」は「ズームモード又はワイドモードに設定可能であ」るものでない点で相違する。
　
（４）「約１６：９のアスペクト比を有するオリジナル画像を作成する段階」
　
　刊行物１発明の「受信側」、すなわち、エンドポイントに、「第２のモニタテレビ１４が接続されている」、すなわち、関連付けられている場合、刊行物１発明は、「送信側の画像処理部４は第１のカメラ１からの画像の上下部分を削除してアスぺクト比９：１６（本願発明の１６：９に対応する）の映像に変換」し、「前記アスぺクト比９：１６（本願発明の１６：９に対応する）の映像の左右の大きさを縮小変倍してアスぺクト比３：４（本願発明の４：３に対応する）の映像に変換」し、「送信側は出力映像を受信側に伝送」するものであって、上記送信側における各変換および伝送を、この順序で行っていることから、刊行物１発明は、「送信側の画像処理部４が第１のカメラ１からの画像の上下部分を削除してアスぺクト比１６：９の映像に変換する」段階と、「前記画像処理部４が前記アスぺクト比１６：９の映像の左右の大きさを縮小変倍してアスぺクト比４：３の映像に変換する」段階と、「送信側が出力映像を受信側に伝送する」段階とを有するものといえる。
　
　そして、刊行物１発明において、「送信側の画像処理部４が第１のカメラ１からの画像の上下部分を削除してアスぺクト比１６：９の映像に変換する段階」は、前記画像処理部４が前記変換をすることにより、「第１のカメラ１からの画像」から「アスぺクト比１６：９の映像に変換」した「画像」を作成しているといえ、「送信側の画像処理部４が第１のカメラ１からの画像の上下部分を削除してアスぺクト比１６：９の映像に変換する段階」は、「１６：９」の「アスペクト比」を有する「画像」を「作成」する段階といえる。
　よって、刊行物１発明は、「１６：９のアスペクト比を有する画像を作成する段階」を有するといえる。
　
　そして、「出力スケーラ２２４は、画像の幅に対して画像のオリジナルの高さＨを４／３倍拡大することにより画像を歪ませる。このスケーリングは、アスペクト比を約１６：９から約４：３に変換する」（本願明細書の段落【００４３】）
　「４：３のアスペクト比を変換するために、ビルダ２２２（図２）は、２つの長方形セグメント４２２ａ及び４２２ｂを追加して、操作された合成画像４２０を形成する。　…　（略）　…　両方の追加長方形セグメント４２２ａ及び４２２ｂの全高は、合成画像４１０のオリジナルの高さＨの約３分の１に等しい」（本願明細書の段落【００４８】）
と記載されていることから、本願発明において「オリジナル画像」とは、ビルダ２２２もしくは出力スケーラ２２４により、「４：３」のアスペクト比を有する画像が作成される前の、「１６：９のアスペクト比を有する画像」であり、
　一方、刊行物１発明において作成された、「１６：９のアスペクト比を有する画像」も、「左右の大きさを図１２の（Ｃ）に示すように、縮小変倍してアスぺクト比３：４の映像に変換する」（刊行物１の段落【００８１】）前の、「１６：９のアスペクト比を有する画像」であるから、
　アスペクト比を１６：９から４：３に変更する前の「画像」である点で、刊行物１発明の「１６：９のアスペクト比を有する画像」は、本願発明でいう「オリジナル画像」といいうる。
　
　したがって、刊行物１発明と本願発明は、「約１６：９のアスペクト比を有するオリジナル画像を作成する段階」を有する点で一致する。
　
（５）「前記オリジナル画像の寸法を変更することにより、前記オリジナル画像のアスペクト比を、約１６：９から約４：３に変更する段階」
　
　刊行物１発明では、「送信側の画像処理部４は第１のカメラ１からの画像の上下部分を削除してアスぺクト比９：１６の映像に変換し」、「前記アスぺクト比９：１６の映像の左右の大きさを縮小変倍してアスぺクト比４：３の映像に変換し」ているから、「左右の大きさを縮小変倍してアスぺクト比４：３の映像に変換」される「アスぺクト比９：１６の映像」は、「第１のカメラ１からの画像の上下部分を削除して」変換された「アスぺクト比１６：９の映像」であって、上記（４）で述べたとおり、「オリジナル画像」といえる。
　そして、刊行物１発明において「左右の大きさを縮小変倍」することは、「寸法を変更」することにほかならないから、「前記アスぺクト比９：１６の映像の左右の大きさを縮小変倍」することは、「前記オリジナル画像の寸法を変更」することといえる。
　また、刊行物１発明において「アスぺクト比３：４の映像に変換」するのは、「前記アスぺクト比９：１６の映像の左右の大きさを縮小変倍」した結果であり、前記「変換」する前の、前記「アスぺクト比９：１６の映像」、すなわち、オリジナル画像の、「アスぺクト比」を、「９：１６」から「３：４」に「変換」すなわち変更しているといえるから、刊行物１発明において「アスぺクト比３：４の映像に変換」することは、「オリジナル画像のアスペクト比を９：１６から３：４に変更する」ことといえる。
　よって、上記（４）に記載したとおり、「段階」といえるものである、刊行物１発明の「送信側の画像処理部４は前記アスぺクト比１６：９の映像の左右の大きさを縮小変倍してアスぺクト比４：３の映像に変換し」は、「前記オリジナル画像の寸法を変更することにより、前記オリジナル画像のアスペクト比を、約１６：９から約４：３に変更する段階」といえる。
　したがって、刊行物１発明と本願発明は、「前記オリジナル画像の寸法を変更することにより、前記オリジナル画像のアスペクト比を、約１６：９から約４：３に変更する段階」を有する点で一致する。
　
（６）「前記変更された画像を前記エンドポイントに伝送する段階」
　
　刊行物１において、
「画像処理部４は第１のカメラ１からの画像の上下部分を削除して図１２の（Ｈ）に示すように、アスぺクト比９：１６の映像に変換する。」（【００８０】）
「更に左右の大きさを…縮小変倍してアスぺクト比３：４の映像に変換する。図１２の（Ｅ）に示すような、画像処理部４からの出力映像は、伝送制御部５において伝送のための中間フォーマットに変換され、伝送のための圧縮を受けてから回線８を通じて受信側に伝送される。」（【００８１】）
と記載されていることから、
　刊行物１発明の「出力映像」は、
「送信側の画像処理部４は第１のカメラ１からの画像の上下部分を削除してアスぺクト比９：１６の映像に変換」し、「前記アスぺクト比９：１６の映像の左右の大きさを縮小変倍してアスぺクト比３：４の映像に変換」された画像であるといえ、該「変換」された画像は、上記（５）に記載した、前記オリジナル画像のアスペクト比を、約１６：９から約４：３に変更された画像であるといえる。
　また、上記（４）に記載したとおり、刊行物１発明における「送信側は出力映像を受信側に伝送し」は、「送信側が出力映像を受信側に伝送する段階」といえるから、
「送信側が出力映像を受信側に伝送する段階」は、「第１のカメラ１からの画像の上下部分を削除してアスぺクト比９：１６の映像に変換」し、「左右の大きさを縮小変倍してアスぺクト比３：４の映像に変換」された画像、すなわち、上記（５）に記載した変更された画像を、受信側すなわちエンドポイントに伝送する段階であるといえる。
　よって、刊行物１発明の「出力映像を受信側に伝送する段階」は、「前記変更された画像をエンドポイントに伝送する段階」といえ、この点で、本願発明と一致する。
　
（７）「前記ズームモード又は前記ワイドモードに設定された前記ワイドスクリーンディスプレイが、約１６：９のアスペクト比で、前記寸法の変更なしで前記オリジナル画像を実質的に表示可能である」
　
　刊行物１発明の「受信側」すなわちエンドポイントにおいては、「受信側に伝送」された「画像を受信して伸長」し、「中間フォーマットを通常のアスぺクト比３：４にして出力」し、「９：１６方式変換処理部１２において左右を変倍処理」され、「アスぺクト比９：１６の信号として第２のモニタテレビ１４に与えられ」て「表示される」が、その結果、前記「第２のモニタテレビ１４」においては、刊行物１に「図１２の（Ｇ）に示すように表示される」（【００８２】）とされているところ、
図１２の（Ｇ）に示す表示のされ方は、１６：９のアスペクト比を有する前記「第２のモニタテレビ１４」の画面内において、「第１のカメラ１からの画像の上下部分を削除して得られたアスペクト比９：１６の映像」と同じ、「アスペクト比９：１６の映像」が表示される（図１２の（Ｇ））ものであり、前記「アスペクト比９：１６の映像」は、「左右の大きさを縮小変倍してアスぺクト比３：４の映像に変換」される前の映像である。
　また、上記（５）において記載したように、「左右の大きさを縮小変倍」することは「寸法を変更」することであり、「第２のモニタテレビ１４」に表示される「左右の大きさを縮小変倍してアスぺクト比３：４の映像に変換」される前の映像は、寸法の変更をする前の映像であって、寸法の変更なしの映像といえる。
　よって、刊行物１発明の「左右を変倍処理され、アスぺクト比９：１６の信号として第２のモニタテレビ１４に与えられ表示される」前記「映像」は、寸法の変更なしの映像であって、「左右の大きさを縮小変倍してアスぺクト比３：４の映像に変換」される前の「アスペクト比９：１６の映像」、すなわち、オリジナル画像であるといえる。
　よって、刊行物１発明において、１６：９のアスペクト比を有する前記「第２のモニタテレビ１４」は、「左右の大きさを縮小変倍してアスぺクト比３：４の映像に変換」される前の寸法の変更なしの「アスペクト比９：１６の映像」すなわちオリジナル画像を表示し得るものである。
　
　そして、上記（２）に記載したように、前記「第２のモニタテレビ１４」はワイドスクリーンディスプレイといえるから、
　刊行物１発明においては、前記「第２のモニタテレビ１４」すなわち「ワイドスクリーンディスプレイ」が、寸法の変更なしの「アスペクト比９：１６」の「映像」すなわちオリジナル画像を実質的に表示し得るものといえる。
　したがって、刊行物１発明は、「前記ワイドスクリーンディスプレイが、約１６：９のアスペクト比で、前記寸法の変更なしで前記オリジナル画像を実質的に表示可能である」といえ、この点で本願発明と一致する。
　
　もっとも、オリジナル画像を実質的に表示可能であるワイドスクリーンディスプレイが、本願発明においては、上記（３）で述べたように「ズームモード又はワイドモードに設定可能」な「ワイドスクリーンディスプレイ」であって、「前記ズームモード又は前記ワイドモードに設定された前記ワイドスクリーンディスプレイ」であり、「前記ズームモード又は前記ワイドモードに設定された前記ワイドスクリーンディスプレイが」オリジナル画像を実質的に表示可能である、画像を準備する方法であるのに対し、
　刊行物１発明においては、「ズームモード又はワイドモードに設定可能」な「ワイドスクリーンディスプレイ」ではなく、９：１６方式変換処理部１２において左右を変倍処理されたアスぺクト比１６：９の信号が与えられて表示される「ワイドスクリーンディスプレイ（第２のモニタテレビ１４）」であり、９：１６方式変換処理部１２において左右を変倍処理されたアスぺクト比１６：９の信号が与えられて表示される「ワイドスクリーンディスプレイ（第２のモニタテレビ１４）」がオリジナル画像を実質的に表示可能である、画像を準備する方法である点で相違する。
　
　以上対比によると、本願発明と刊行物１発明との一致点相違点は、次のとおりである。　
［一致点］
「ビデオ会議のエンドポイント用の画像を準備する方法であって、
　前記エンドポイントは、約４：３のアスペクト比を処理可能であり、また、ワイドスクリーンディスプレイに関連付けられ、
　前記ワイドスクリーンディスプレイは、約１６：９のアスペクト比を有しており、
　前記方法は、
　約１６：９のアスペクト比を有するオリジナル画像を作成する段階と、
　前記オリジナル画像の寸法を変更することにより、前記オリジナル画像のアスペクト比を、約１６：９から約４：３に変更する段階と、
　前記変更された画像を前記エンドポイントに伝送する段階と、
　を含み、
　前記ワイドスクリーンディスプレイが、約１６：９のアスペクト比で、前記寸法の変更なしで前記オリジナル画像を実質的に表示可能である方法。」
　
［相違点］
　オリジナル画像を実質的に表示可能であるワイドスクリーンディスプレイが、
　本願発明においては、「ズームモード又はワイドモードに設定可能」な「ワイドスクリーンディスプレイ」であって、「前記ズームモード又は前記ワイドモードに設定された前記ワイドスクリーンディスプレイ」であり、「前記ズームモード又は前記ワイドモードに設定された前記ワイドスクリーンディスプレイが」オリジナル画像を実質的に表示可能である、画像を準備する方法であるのに対し、
　刊行物１発明においては、「ズームモード又はワイドモードに設定可能」な「ワイドスクリーンディスプレイ」ではなく、９：１６方式変換処理部１２において左右を変倍処理されたアスぺクト比１６：９の信号が与えられて表示される「ワイドスクリーンディスプレイ（第２のモニタテレビ１４）」であり、９：１６方式変換処理部１２において左右を変倍処理されたアスぺクト比１６：９の信号が与えられて表示される「ワイドスクリーンディスプレイ（第２のモニタテレビ１４）」がオリジナル画像を実質的に表示可能である、画像を準備する方法である点。
　
４．判断
　標準モード、ワイドモード、ズームモード等の表示モードに設定し得るものであって、ワイドモード、ズームモードにおいて、入力されたアスペクト比４：３の画像をアスペクト比１６：９の画像に変換して表示することができるアスペクト比１６：９のワイドスクリーンディスプレイは、本願優先日前に広く知られたものである。（本願当初明細書の段落【０００４】ないし【０００７】でも背景技術として説明されている。）
　
　刊行物１発明では「９：１６方式変換処理部１２において」、（アスペクト比４：３の画像を）「アスペクト比１６：９の信号として」、（アスペクト比１６：９の）「第２のモニタテレビ１４」で表示するが、アスペクト比１６：９で表示するディスプレイとして、「標準モード、ワイドモード、ズームモード等の表示モードに設定し得るものであって、ワイドモード、ズームモードにおいて、入力されたアスペクト比４：３の画像をアスペクト比１６：９の画像に変換して表示することができるアスペクト比１６：９のワイドスクリーンディスプレイ」が広く知られているから、刊行物１発明の（アスペクト比１６：９の）「第２のモニタテレビ１４」として、上記広く知られたアスペクト比１６：９のワイドスクリーンディスプレイを用いようとすることは当業者が容易に想到できることであり、その際、上記広く知られたアスペクト比１６：９のワイドスクリーンディスプレイが、入力されたアスペクト比４：３の画像をアスペクト比１６：９の画像に変換して表示するワイドモード、ズームモードを設定しうるものであるから、刊行物１発明で（アスペクト比４：３の画像を）「アスペクト比１６：９の信号と」する「９：１６方式変換処理部１２」を用いずに、上記広く知られたアスペクト比１６：９のワイドスクリーンディスプレイで、アスペクト比４：３の画像をアスペクト比１６：９の画像に変換して表示するモードに設定することで、（アスペクト比４：３の画像を）「アスペクト比１６：９の信号として」表示するようになすことは、容易に想到できることである。
　そして、刊行物１発明では、（アスペクト比４：３の画像を）「アスペクト比１６：９の信号」とする手法として、「第１のカメラ１からの画像の上下部分を削除してアスぺクト比９：１６の映像に変換」し、「前記アスぺクト比９：１６の映像の左右の大きさを縮小変倍してアスぺクト比３：４の映像に変換」した「出力映像を」（９：１６方式変換処理部１２において）「左右を変倍処理」するものとしており、この手法は、広く知られたアスペクト比１６：９のワイドスクリーンディスプレイにおけるワイドモードを設定した場合に相当するものといえ、刊行物１発明において、上記広く知られたアスペクト比１６：９のワイドスクリーンディスプレイを用いた際に、オリジナル画像を実質的に表示させるために、表示モードを前記ワイドモードに設定することは、容易に想到できることである。
　また、上記広く知られたアスペクト比１６：９のワイドスクリーンディスプレイは、ワイドモードと同じく、アスペクト比４：３の画像をアスペクト比１６：９の画像に変換して表示するズームモードを有している。
　そのズームモードは、アスペクト比１６：９の画像の上下に横方向に長い長方形のセグメント（黒帯）を追加したアスペクト比４：３の画像を変換して、前記アスペクト比４：３の画像の上下に横方向に長い長方形のセグメント（黒帯）を追加する前のアスペクト比１６：９の画像を表示させる表示モードであり、原査定で指摘した特開２００３−３３３４５５号公報の図７に記載されるように、広く知られている（図７に示された表において、第１列目の「放送波で送られてきた映像フォーマット」の項目が「４：３レターボックス（Ｔｙｐｅ４）」である場合、「Ｔｙｐｅ４（４：３レターボックス）」なる記載とともに、アスペクト比１６：９の画像の上下に横方向に長い黒帯を追加して、アスペクト比４：３の画像とした図が示されており、該項目の第２列目である、「表示装置のアスペクト比が１６：９の場合」において、符号「［２５］」の記載と、上記アスペクト比４：３の画像のうち上下の黒帯が無い、アスペクト比１６：９の画像が図として示されており、さらに、「上下の黒帯を取って出力」と記載されていて、アスペクト比４：３の画像のうち、上下に横方向に長い黒帯を追加する前のアスペクト比１６：９の画像が１６：９のアスペクト比の表示装置に表示されている。）。
　そして、上記３．（４）に記載したように、アスペクト比を１６：９から４：３に変更する前の画像はオリジナル画像といえるから、前記ズームモードはアスペクト比１６：９のオリジナル画像の上下に横方向に長い長方形のセグメント（黒帯）を追加したアスペクト比４：３の画像を変換して前記オリジナル画像を実質的に表示させる表示モードといえる。
　このように、上記広く知られたアスペクト比１６：９のワイドスクリーンディスプレイは、ワイドモードだけでなく、ズームモードを用いることによっても、アスペクト比４：３に変更されたアスペクト比１６：９のオリジナル画像を実質的に表示し得ることが広く知られているのであるから、上記ワイドモードのみならず、アスペクト比１６：９のオリジナル画像の上下に横方向に長いセグメント（黒帯）を追加したアスペクト比４：３の画像を用い、ズームモードに設定してアスペクト比４：３に変更されたアスペクト比１６：９のオリジナル画像を実質的に表示させようとすることは、容易に想到できることである。
　
　また、刊行物１において、
　「受信側においては、アスぺクト比３：４の第１のモニタテレビ１３、またはアスぺクト比９：１６の第２のモニタテレビ１４が選択的に接続されるように構成されている。この場合も、第１のモニタテレビ１３が接続されているか第２のモニタテレビ１４が接続されているかは、モニタ設定スイッチ１６により設定され、この信号はシステム制御部１０から伝送制御部９、回線８、伝送制御部５を通じて送信側のシステム制御部６に伝送される。」（段落【００７５】）
　「受信側において第１のモニタテレビ１３が接続されている場合、このことは送信側に伝達されシステム制御部６に入力される。その結果、画像処理部４は第１のカメラ１からの画像を図１２の（Ｂ）に示すように、そのままアスぺクト比３：４の映像のまま伝送制御部５に出力する。
」（段落【００７８】）
「受信側においては、…（略）…　アスぺクト比３：４のテレビジョン信号にして出力する。この信号は図１２の（Ｆ）に示すように、第１のモニタテレビ１３にそのまま表示される。」（段落【００７９】）
　「送信側において第２のモニタテレビ１４が接続されている場合、このことは送信側に伝達され、システム制御部６に入力される。その結果、画像処理部４は第１のカメラ１からの画像の上下部分を削除して図１２の（Ｈ）に示すように、アスぺクト比９：１６の映像に変換する。」（段落【００８０】）
「そして、更に左右の大きさを図１２の（Ｃ）に示すように、縮小変倍してアスぺクト比３：４の映像に変換する。…（略）…　回線８を通じて受信側に伝送される。」（段落【００８１】）
「受信側においては、この画像を伝送制御部９で受信して伸長し、中間フォーマットを通常のアスぺクト比３：４である、図１２の（Ｅ）に示すような画面にして出力する。この信号は、９：１６方式変換処理部１２において左右を変倍処理され、アスぺクト比９：１６の信号として第２のモニタテレビ１４に与えられ、図１２の（Ｇ）に示すように表示される。」（段落【００８２】）
と記載されており、
　刊行物１発明においては、「アスぺクト比３：４の第１のモニタテレビ１３、またはアスぺクト比９：１６の第２のモニタテレビ１４」のうちの「接続されている」モニタテレビを設定する「信号」が受信側から送信側に伝送され、該「信号」に応じて、「受信側」に接続されているモニタテレビのアスペクト比に応じたアスペクト比の画像となるように画像を送信側の画像処理部で変換して「受信側」に伝送し、「受信側」に接続されたモニタテレビに、該接続されたモニタテレビのアスペクト比に対応したアスペクト比の画像が表示可能とされているのであって、
　すなわち、「受信側」に接続されたモニタテレビに、該接続されたモニタテレビに対応した画像が表示可能なように、前記画像を送信側の画像処理部においてあらかじめ変換して（すなわち準備して）いるものであるから、
　刊行物１発明の「第２のモニタテレビ１４」として、上記広く知られたアスペクト比１６：９のワイドスクリーンディスプレイを用い、該ワイドスクリーンディスプレイの表示モードをワイドモード又はズームモードに設定された場合においても、前記設定された表示モードでの表示のための変換処理に対応した画像が前記ワイドスクリーンディスプレイで表示可能なように、前記設定された表示モードに対応した画像を送信側であらかじめ変換する、すなわち準備することは、容易に想到できることであり、「前記ズームモード又は前記ワイドモードに設定された前記ワイドスクリーンディスプレイが」オリジナル画像を実質的に表示可能である、画像を準備する方法とすることは容易に想到できることである。
　
　そうであるから、刊行物１発明において、「９：１６方式変換処理部１２」を備え、アスペクト比４：３の画像をアスペクト比１６：９の画像に変換し、「ワイドスクリーンディスプレイ（第２のモニタテレビ１４）」に入力する構成に代えて、上記広く知られた「標準モード」、「ズームモード」、「ワイドモード」等の表示モードに設定し得る「ワイドスクリーンディスプレイ」に入力する構成を採用し、
　「第１のカメラ１からの画像の上下部分を削除してアスぺクト比９：１６の映像に変換」し「前記アスぺクト比９：１６の映像の左右の大きさを縮小変倍してアスぺクト比３：４の映像に変換」した画像を、「ワイドスクリーンディスプレイ」の表示モードをワイドモード設定して表示させ、
また、「アスペクト比１６：９のオリジナル画像の上下に、横方向に長い長方形のセグメント（黒帯）を追加したアスペクト比４：３の画像」を、「ワイドスクリーンディスプレイ」の表示モードをズームモード設定して表示させ、
「前記ズームモード又は前記ワイドモードに設定された前記ワイドスクリーンディスプレイが」オリジナル画像を実質的に表示可能である、画像を準備する方法とすることは、当業者が容易に想到できることである。
　よって、刊行物１発明において、第２のモニタテレビ１４の代わりに上記広く知られたズームモード又はワイドモードに設定可能なワイドスクリーンディスプレイを用い、前記ズームモード又は前記ワイドモードに設定された前記ワイドスクリーンディスプレイがオリジナル画像を実質的に表示可能として、本願発明の相違点に係る構成とすることは、当業者が容易に想到できることといえる。
　そして、そのような構成より本願発明の効果が奏せられることは予測できるといえる。
　
　したがって、本願発明は、刊行物１発明に記載された発明および広く知られている技術に基づいて当業者が容易に発明をすることができたものである。
　
５．むすび
　以上のとおり、本件出願の請求項１に係る発明は、刊行物１に記載された発明および広く知られている技術に基づいて、当業者が容易に発明をすることができたものであるから、特許法第２９条第２項の規定により特許を受けることができない。
　したがって、本件出願は拒絶されるべきものである。
　よって、結論のとおり審決する。